(57)【特許請求の範囲】
【請求項１】
給油所の進入路には第一の給油案内表示装置が設けられ、敷地内に形成された複数のアイランドにはそれぞれ第二の給油案内表示装置、給油装置、及び出車可否表示装置が設けられ、各給油装置の前面に給油エリアが形成され、退出路には車を検知して作動する退車表示装置が設けられ、給油装置で給油された給油料金を精算する精算装置が給油装置の近傍に設けられ、
精算装置は、カード挿入口、貨幣投入口、釣銭放出口、表示器、キーボード、プリンタが設けられ、これらは精算制御手段に接続され、精算制御手段は給油装置から給油データ信号を受け、各表示装置の表示制御手段へ精算終了信号を出力するようになっており、
前記第一の給油案内表示装置には、給油所の敷地全体を表す模式的な地図が描かれ、各給油装置の前面の給油エリアを表す給油エリア番号と、この給油エリアの給油装置が不使用中に点灯するランプと、使用中に点灯するランプが設けられ、
第二の給油案内表示装置には、この給油エリアの給油装置で給油できる油種などを記した看板と、この給油エリアの給油エリア番号と、この給油エリアの給油装置が不使用中に点灯する回転灯と、使用中に点灯する回転灯が設けられていることを特徴とする給油所。
【発明の詳細な説明】
【０００１】
【発明の属する技術分野】
本発明は、車へ燃料油を給油する給油所に関するものである。
【０００２】
【従来の技術】
給油所で作業員は、顧客の車を空いている給油装置の所へ誘導し、給油装置で所望の油種を給油し、給油料金を受け取り精算装置で精算をして釣銭と領収書を顧客へ渡し、最後に車が安全に退出路から道路に出られるように誘導している。
【０００３】
【発明が解決しようとする課題】
このように従来の給油所では、給油作業だけでなく、車の誘導作業や精算作業など全てを給油所の作業員がおこなっているので、多くの作業員を必要としている。このように多くの作業員を必要とする給油所では、人手不足及び人件費が高騰している現在では経営が成り立たなくなりつつある。また、顧客が給油作業をするセルフサービス給油は米国などで実施されているが、給油に不馴れな顧客が給油をするために、油種の間違及び油の溢出などの危険が生じやすい。そこで本発明は、給油作業は作業員がおこない、他の作業は機械又は顧客がおこなうようにし、少ない作業員で安全に給油ができ、高い人件費でも経営が成り立つことができる給油所を提供することである。
【０００４】
【課題を解決するための手段】
上記目的を達成するために、本発明の給油所は、給油所の進入路には第一の給油案内表示装置が設けられ、敷地内に形成された複数のアイランドにはそれぞれ第二の給油案内表示装置、給油装置、及び出車可否表示装置が設けられ、各給油装置の前面に給油エリアが形成され、退出路には車を検知して作動する退車表示装置が設けられ、給油装置で給油された給油料金を精算する精算装置が給油装置の近傍に設けられ、
精算装置は、カード挿入口、貨幣投入口、釣銭放出口、表示器、キーボード、プリンタが設けられ、これらは精算制御手段に接続され、精算制御手段は給油装置から給油データ信号を受け、各表示装置の表示制御手段へ精算終了信号を出力するようになっており、
前記第一の給油案内表示装置には、給油所の敷地全体を表す模式的な地図が描かれ、各給油装置の前面の給油エリアを表す給油エリア番号と、この給油エリアの給油装置が不使用中に点灯するランプと、使用中に点灯するランプが設けられ、
第二の給油案内表示装置には、この給油エリアの給油装置で給油できる油種などを記した看板と、この給油エリアの給油エリア番号と、この給油エリアの給油装置が不使用中に点灯する回転灯と、使用中に点灯する回転灯が設けられていることを要旨とするものである。
【０００５】
本発明によれば、前記精算装置は売店を併設した建屋内に設けられているので、精算をするために建屋内へ入った顧客は、売店で物品を買うことができ、顧客にとって便利であり、給油所にとっては売上の増大が図れる。
【０００６】
また、前記精算装置は給油装置の近傍に設けられているので、給油をした所で精算が迅速にでき、顧客にとって便利であり、給油所にとって顧客の回転が速くなり売上の増大が図れる。
【０００７】
【発明の実施の形態】
以下、本発明の実施の形態を説明する。図１に示すように、給油所Ａの進入路Ｂには第一の給油案内表示装置１が設けられ、敷地内に形成された複数のアイランドＣ、Ｃにはそれぞれ第二の給油案内表示装置２、給油装置３、及び出車可否表示装置４が設けられ、各給油装置３の前面に給油エリアＤが形成されている。
図中Ｅは敷地の奥の建屋である。退出路Ｆには退車表示装置６が設けられている。そして、建屋Ｅ内には各種の小物を扱う売店Ｇが併設されている。
【０００８】
図２に示すように、給油所Ａの進入路Ｂに設けられている第一の給油案内表示装置１には、給油所Ａの敷地全体を表す模式的な地図１１が描かれ、各給油装置３の前面の給油エリアＤを表す給油エリア番号１２と、この給油エリアＤの給油装置３が不使用中に点灯する青色のランプ１３と、使用中に点灯する赤色のランプ１４が設けられている。そして、給油装置３が不使用中で青色のランプ１３の点灯した給油エリアＤへ、顧客を案内するようになっている。
【０００９】
図３に示すように、アイランドＣの先端部に設けられている第二の給油案内表示装置２には、この給油エリアＤの給油装置３で給油できる油種などを記した看板２１と、この給油エリアＤの給油エリア番号２２と、この給油エリアＤの給油装置３が不使用中に点灯する青色の回転灯２３と、使用中に点灯する赤色の回転灯２４が設けられている。そして、不使用中で青色の回転灯２３の点灯した給油エリアＤへ顧客を案内するようになっている。
【００１０】
図４に示すように、アイランドＣの中央部に設けられた給油装置３には、どのような油種の車へも給油ができるように、レギュラ、ハイオク、軽油の３油種の給油ノズル３１、３１、３１が設けられ、各給油ノズル３１から給油された量を表示する給油量表示器３２が設けられている。給油装置３のケース内に導入された給油管３３には、ポンプ３４及び流量計３５が介装され、流量計３５は給油ホース３６を介して給油ノズル３１に接続され、給油ノズル３１のノズル掛けにはノズルスイッチ３７が設けられている。給油装置３のケースには精算カード発行機３８が設けられ、給油量表示器３２、ポンプ３４、流量計３５、ノズルスイッチ３７、及び精算カード発行機３８はケース内に設けられた給油制御手段３９に接続されている。そして、給油制御手段３９は、ノズルスイッチ３７からノズル外し信号を受けて給油量表示器３２に表示されていた前回の給油量表示を帰零し、ポンプ３４へ駆動信号を出力し、後述するように各表示装置１、２、４の表示制御手段７へ給油開始信号を出力する。また、給油制御手段３９は流量計３５からの流量信号を計数して表示信号を給油量表示器３２へ出力し、ノズルスイッチ３７からノズル掛け信号を受けてポンプ３４への駆動信号を消勢し、後述するように精算装置５の精算制御手段５５へ給油データ信号を出力するようになっている。
【００１１】
図５に示すように、アイランドＣの後端部に設けられた出車可否表示装置４にはバー４１が設けられ、バー４１はモータ４２により垂直方向Ｘと水平方向Ｙの間を回動するようになっている。そして、バー４１を垂直方向Ｘから水平方向Ｙへ移動して車の出車不可を表示し、バー４１を水平方向Ｙから垂直方向Ｘへ移動して車の出車可を表示するようになっている。
【００１２】
図６に示すように、退車表示装置６は退出路Ｆの車の有無を検知する車検知器６１と赤色の回転灯６２とより構成されている。そして、車検知器６１が車を検知すると回転灯６２が点灯し、車検知器６１が車を検知しなくなると回転灯６２が消灯し、道路を走行中の車や、歩行者に注意を呼びかけるようになっている。
【００１３】
精算装置８はアイランドＣ上に設けられ、精算作業の全てを顧客が行うようになっている。図８に示すように、各アイランドＣに設けられた精算装置８には、カード挿入口８１、貨幣投入口８２、釣銭放出口８３、表示器８４、キーボード８５、プリンタ８６等が設けられ、これらは精算制御手段８７に接続されている。そして、精算制御手段８７は給油装置３から給油データ信号を受け、表示制御手段７へ精算終了信号を出力するようになっている。
【００１４】
図７に示すように、精算装置８の精算制御手段５５はキーボード８５から精算信号を受けて、給油装置３から送られてきた給油データを印字した給油伝票をプリンタ８６より発行し、給油伝票を発行すると精算終了信号を各表示装置１、２、４の表示制御手段７へ出力するようになっている。
【００１５】
各表示装置１、２、４の表示制御手段７は、給油装置３から給油開始信号を受けて、第一第二の給油案内表示装置１、２へ赤色点灯信号を出力、出車可否表示装置４へ出車不可信号を出力する。そして、精算装置５から精算終了信号を受けて、第一第二の給油案内表示装置１、２へ青色点灯信号を出力し、出車可否表示装置４へ出車可信号を出力するようになっている。
【００１６】
次に、動作を説明する。表示制御手段７は、給油装置３から給油開始信号を受けて、この給油装置３の赤色点灯信号を第一第二の給油案内表示装置１、２へ出力し、出車可否表示装置４へ出車不可信号を出力している。そして、この給油装置３の第一の給油案内表示装置１の赤色のランプ１４が点灯し、第二の給油案内表示装置２の赤色の回転灯２４が点灯し、出車可否表示装置４のバー４１がモータ４２により水平位置Ｙへ移動している。また、精算装置５から給油装置３の精算終了信号を受けて、この給油装置３の第一第二の給油案内表示装置１、２へ青色点灯信号を出力し、出車可否表示装置４へ出車可信号を出力している。そして、この給油装置３の第一の給油案内表示装置１の青色のランプ１３が点灯し、第二の給油案内表示装置２の青色の回転灯２３が点灯し、出車可否表示装置４のバー４１がモータ４２により垂直位置Ｘへ移動している。このように使用中の給油装置３は、第一第二の給油案内表示装置１、２の赤色のランプ１４、赤色の回転灯２４によって表示され、不使用中の給油装置３は、第一第二の給油案内表示装置１、２の青色のランプ１３、青色の回転灯２３によって表示されので、作業員が案内をしなくても車はスムーズに不使用中の給油装置３の給油エリアＤに進むことができるようになる。
【００１７】
このように青色のランプ１３及び青色の回転灯２３に案内されて給油装置３の給油エリアＤに顧客の車が停止する。そして、給油エリアＤの作業員は顧客から油種、給油量などを聞いて、所望の給油ノズル３１を外すと、ノズルスイッチ３７からノズル外し信号が給油制御手段３９へ入力され、給油量表示装置３２は帰零され、ポンプ３４が駆動され、給油開始信号が表示制御手段７へ出力される。給油開始信号を受けた表示制御手段７は、この給油装置３の赤色点灯信号を第一第二の給油案内表示装置１、２へ出力し、出車可否表示装置４へ出車不可信号を出力する。そして、この給油装置３の第一の給油案内表示装置１の赤色のランプ１４が点灯し、第二の給油案内表示装置２の赤色の回転灯２４が点灯し、出車可否表示装置４のバー４１がモータ４２により水平位置Ｙへ移動して車の出車不可を表示する。
【００１８】
給油ノズル３１を車の給油口へ挿入して給油を開始すると、給油制御手段３９は流量計３５からの流量信号を計数し、計数値は給油量表示器３２へ出力されて表示される。所望量が給油され、給油ノズル３１をノズル掛けに掛けてノズルスイッチ３７からノズル掛け信号が入力すると、給油制御手段３９は駆動信号を消勢してポンプ３４を停止し、発行信号を精算カード発行機３８へ出力して精算カードを発行し、給油データ信号を精算装置８へ出力する。
【００１９】
顧客がクレジットカードをカード挿入口８１へ挿入すると、精算制御手段８７は給油装置３から入力している給油データ信号に基づいて精算をし、クレジットカードをカード挿入口８１から放出し、給油データを印字した給油伝票をプリンタ８６で発行する。また、現金を貨幣投入口８２へ投入した場合は、釣銭が釣銭放出口８３へ放出される。そして、精算終了信号を表示制御手段７へ出力する。精算終了信号を受けた表示制御手段７は、この給油装置３の第一第二の給油案内表示装置１、２へ青色点灯信号を出力し、出車可否表示装置４へ出車可信号を出力する。そして、この給油装置３の第一の給油案内表示装置１の青色のランプ１３が点灯し、第二の給油案内表示装置２の青色の回転灯２３が点灯し、出車可否表示装置４のバー４１がモータ４２により水平位置Ｙへ移動して出車可を表示する。このように、精算装置８をアイランドＣ上に設け、精算作業の全てを顧客が行うようにしているので、精算のための作業員を不要とすることができる。
【００２０】
精算が終わって車へ戻った顧客は、出車可否表示装置４のバー４１がモータ４２により水平位置Ｙから垂直位置Ｘへ移動しているので、出車をすることができる。このように給油が始まってから精算が終わるまで、出車可否表示装置４が出車不可を表示するので、給油中に出車したり、精算をしないで出車することを防止できる。
【００２１】
そして、車が退出路Ｆに来て、車検知器６１が車を検知すると、赤色の回転灯６２が点灯し、道路を走行中の車及び歩行者へ出車注意を表示する。このように出車表示装置６が点灯するので、作業員が案内をしなくても車は退出路Ｆから道路へ安全に進むことができるようになる。
【００２２】
【発明の効果】
以上説明したように本発明の給油所は、不使用中の給油装置を表示する給油案内表示装置と、複数油種を給油できる給油装置と、給油装置で給油された給油料金を精算する精算装置と、退出路の車を検知して作動する退車表示装置とを設けている。このように、給油作業は作業員がおこない、他の作業は機械又は顧客がおこなうようにしたので、少ない作業員で安全に給油ができ、高い人件費でも給油所の経営が成り立つことができるようになる。
【図面の簡単な説明】
【図１】  本発明が実施された給油所の全体を示す平面図である。
【図２】  第一の給油案内表示装置の正面図である。
【図３】  第二の給油案内表示装置の正面図である。
【図４】  給油装置の一部を断面で示す正面図である。
【図５】  出車可否表示装置の正面図である。
【図６】  退車表示装置の正面図である。
【図７】  給油所の制御ブロック図である。
【図８】  給油装置と精算装置の正面図である。
【符号の説明】
１  第一の給油案内表示装置
１１  地図
１２  給油エリア番号
１３、１４  ランプ
２  第二の給油案内表示装置
２１  看板
２２  給油エリア番号
２３、２４  回転灯
３  給油装置
３１  給油ノズル
３２  給油量表示器
３３  給油管
３４  ポンプ
３５  流量計
３６  給油ホース
３７  ノズルスイッチ
３８  精算カード発行機
３９  給油制御手段
４  出車可否表示装置
４１  バー
４２  モータ
５  精算装置
５１  表示器
５２  キーボード
５３  プリンタ
５４  レジ
５５  精算制御手段
６  退車表示装置
６１  車検知器
６２  回転灯
７  表示制御手段
８、９  精算装置
Ａ  給油所
Ｂ  進入路
Ｃ  アイランド
Ｄ  給油エリア
Ｅ、Ｈ  建屋
Ｆ  退出路
Ｇ  売店
【図１】
0003924850.tif 000002
【図２】
0003924850.tif 000003
【図３】
0003924850.tif 000004
【図４】
0003924850.tif 000005
【図５】
0003924850.tif 000006
【図６】
0003924850.tif 000007
【図７】
0003924850.tif 000008
【図８】
0003924850.tif 000009